(57)【要約】  エレベータの制御システムは、乗場階に設けられ、乗場階で操作可能な乗場呼び登録装置、乗場呼び登録装置が操作された乗場階をかご呼び階とし、各かごのいずれかをかご呼び階に停止させるためのかご呼び登録を行う乗場呼び自動登録部、かご呼び登録に応答するエレベータ装置を選定エレベータとして選定する応答選定部、選定エレベータのかご呼び階に設けられたエレベータ出入口を選定出入口とし、選定出入口に対応する乗客移動時間を算出する乗客移動時間算出部、及び選定エレベータ及び乗客移動時間算出部からの情報に基づいて、選定出入口の開閉動作を制御する開閉制御部を備えている。開閉制御部は、かご呼び登録時に選定出入口がすでに戸開状態にされているとき、かご呼び登録が行われた後、乗客移動時間が経過するまで選定出入口の戸開状態を継続させる。
2007096947.tif 000002
【特許請求の範囲】
【請求項１】
共通の乗場階に停止可能なかごと、上記乗場階に設けられ、上記乗場階に停止された上記かごと上記乗場階との間の乗降のためのエレベータ出入口とをそれぞれ有する複数のエレベータ装置の運転を制御するエレベータの制御システムであって、
上記乗場階に設けられ、上記乗場階で操作可能な乗場呼び登録装置、
上記乗場呼び登録装置が操作された上記乗場階をかご呼び階とし、各上記かごのいずれかを上記かご呼び階に停止させるためのかご呼び登録を行う乗場呼び自動登録部、
各上記エレベータ装置及び上記乗場呼び自動登録部のそれぞれからの情報に基づいて、上記かご呼び登録に応答する上記エレベータ装置を選定エレベータとして選定する応答選定部、
上記応答選定部からの情報に基づいて、上記選定エレベータの上記かご呼び階に設けられた上記エレベータ出入口を選定出入口とし、乗客が上記乗場呼び登録装置から上記選定出入口までの間を移動するためにかかる乗客移動時間を算出する乗客移動時間算出部、及び
上記選定エレベータ及び上記乗客移動時間算出部のそれぞれからの情報に基づいて、上記選定出入口の開閉動作を制御する開閉制御部
を備え、
上記開閉制御部は、上記かご呼び登録時に上記選定出入口がすでに戸開状態にされているとき、上記かご呼び登録が行われた後、上記乗客移動時間が経過するまで上記選定出入口の戸開状態を継続させるようになっていることを特徴とするエレベータの制御システム。
【請求項２】
乗場階に停止可能なかごと、上記乗場階に設けられ、上記乗場階に停止されたかごと上記乗場階との間の乗降のためのエレベータ出入口とを有する単独のエレベータ装置を制御するエレベータの制御システムであって、
上記乗場階に設けられ、上記乗場階で操作可能な乗場呼び登録装置、
上記乗場呼び登録装置が操作された上記乗場階をかご呼び階とし、上記かごを上記かご呼び階に停止させるためのかご呼び登録を行う乗場呼び自動登録部、
上記エレベータ装置の上記かご呼び階に設けられた上記エレベータ出入口を選定出入口とし、乗客が上記乗場呼び登録装置から上記選定出入口までの間を移動するためにかかる乗客移動時間を算出する乗客移動時間算出部、及び
上記エレベータ装置及び上記乗客移動時間算出部のそれぞれからの情報に基づいて、上記選定出入口の開閉動作を制御する開閉制御部
を備え、
上記開閉制御部は、上記かご呼び登録時に上記選定出入口がすでに戸開状態とされているとき、上記かご呼び登録が行われた後、上記乗客移動時間が経過するまで上記選定出入口の戸開状態を継続させるようになっていることを特徴とするエレベータの制御システム。
【請求項３】
上記エレベータ出入口の戸開状態が継続される限界の時間を戸開継続限界時間として決定する戸開継続限界時間決定部をさらに備え、
上記応答選定部は、各上記エレベータ装置及び上記乗場呼び自動登録部のそれぞれからの情報に基づいて、各上記エレベータ装置の中から、上記選定エレベータの候補となる候補エレベータを選択し、上記候補エレベータの上記かご呼び階に設けられた上記エレベータ出入口を候補出入口とするようになっており、上記かご呼び登録時に上記候補出入口がすでに戸開状態にされているときに、上記候補出入口が戸開状態になってから上記かご呼び登録が行われるまでの時間に上記乗客移動時間を加算した戸開継続予定時間を求め、上記戸開継続予定時間と上記戸開継続限界時間とを比較することにより、上記候補エレベータを上記選定エレベータとすることの可否を判定するようになっていることを特徴とする請求項１に記載のエレベータの制御システム。
【請求項４】
上記戸開継続限界時間決定部は、上記乗客による上記かご呼び階の混雑度合いに応じた上記戸開継続限界時間を求めるようになっていることを特徴とする請求項３に記載のエレベータの制御システム。
【請求項５】
上記乗客移動時間算出部は、上記乗客による上記かご呼び階の混雑度合いに応じた上記乗客移動時間を算出するようになっていることを特徴とする請求項１乃至請求項３の何れかに記載のエレベータの制御システム。
【請求項６】
上記乗場呼び登録装置は、上記乗客の個人情報を取得可能で、上記個人情報に基づいて、個人認証を行う認証装置であり、
上記乗場呼び自動登録部は、上記個人認証によって上記乗客を認証したときに、上記かご呼び登録を行うようになっていることを特徴とする請求項１又は請求項２に記載のエレベータの制御システム。
【請求項７】
上記乗客移動時間算出部は、上記認証装置によって認証された上記乗客の上記個人情報に応じた上記乗客移動時間を算出するようになっていることを特徴とする請求項６に記載のエレベータの制御システム。
【発明の詳細な説明】
【技術分野】
【０００１】
この発明は、エレベータ装置の運転を制御するエレベータの制御システムに関するものである。
【背景技術】
【０００２】
従来、複数のエレベータ装置を一つの群として運行管理を行うエレベータ用群制御装置が提案されている。このような従来のエレベータ用群制御装置が設けられた建物では、各エレベータ装置にそれぞれ対応するエレベータ出入口が同一階床に設けられる。また、当該階床には、かご呼びのために乗客によって操作される呼び登録指示装置が設けられている。呼び登録指示装置が操作されたときには、当該階床に移動されるかごの割り当てが行われる。【０００３】
かごの割り当ては、各かごが当該階床に到達するまでの時間と、各エレベータ出入口に乗客が到達するのに必要な時間とを比較することにより行われる。このとき、かごが当該階床に到達するまでの時間が、エレベータ出入口に乗客が到達するのに必要な時間よりも短い場合には、当該エレベータ出入口は割り当ての対象から除外される。これにより、乗客がエレベータ出入口に到達した後に到着するかごを割り当てることができ、乗客がかごに乗り遅れることを防止している（特許文献１参照）。【０００４】
【特許文献１】特許第３０４０５２４号
【発明の開示】
【発明が解決しようとする課題】
【０００５】
しかし、従来のエレベータ用群制御装置では、乗客がエレベータ出入口に到達するまでの時間よりも早く到着可能なかごが割り当ての対象から除外されるので、例えば、１台のかごが当該階床に停止されており、残りのかごが当該階床から遠くに離れた位置に存在し、当該階床に到達するのに長時間を要する場合であっても、遠くに位置するかごを割り当てることになる。この結果、乗客は、かごが当該階床に到着する前に、エレベータ出入口に到達することができるが、かごが到着するまで、エレベータ出入口の前で長時間待たなければならない。【０００６】
この発明は、上記のような課題を解決するためになされたものであり、乗客の待ち時間を短くすることができるとともに、乗客のかごへの乗り遅れを防止することができるエレベータの制御システムを得ることを目的とする。
【課題を解決するための手段】
【０００７】
この発明によるエレベータの制御システムは、共通の乗場階に停止可能なかごと、乗場階に設けられ、乗場階に停止されたかごと乗場階との間の乗降のためのエレベータ出入口とをそれぞれ有する複数のエレベータ装置の運転を制御するエレベータの制御システムであって、乗場階に設けられ、乗場階で操作可能な乗場呼び登録装置、乗場呼び登録装置が操作された乗場階をかご呼び階とし、各かごのいずれかをかご呼び階に停止させるためのかご呼び登録を行う乗場呼び自動登録部、各エレベータ装置及び乗場呼び自動登録部のそれぞれからの情報に基づいて、かご呼び登録に応答するエレベータ装置を選定エレベータとして選定する応答選定部、応答選定部からの情報に基づいて、選定エレベータのかご呼び階に設けられたエレベータ出入口を選定出入口とし、乗客が乗場呼び登録装置から選定出入口までの間を移動するためにかかる乗客移動時間を算出する乗客移動時間算出部、及び選定エレベータ及び乗客移動時間算出部のそれぞれからの情報に基づいて、選定出入口の開閉動作を制御する開閉制御部を備え、開閉制御部は、かご呼び登録時に選定出入口がすでに戸開状態にされているとき、かご呼び登録が行われた後、乗客移動時間が経過するまで選定出入口の戸開状態を継続させるようになっている。
【図面の簡単な説明】
【０００８】
【図１】この発明の実施の形態１によるエレベータの制御システムを示す構成図である。
【図２】図１のエレベータの制御システムを示す機能ブロック図である。
【図３】図２の制御システム本体の処理動作を説明するためのフローチャートである。
【図４】この発明の実施の形態２によるエレベータの制御システムにおける乗客移動時間を算出するときの処理動作を説明するためのフローチャートである。
【図５】この発明の実施の形態３によるエレベータの制御システムにおける乗客移動時間を算出するときの処理動作を説明するためのフローチャートである。
【図６】この発明の実施の形態４によるエレベータの制御システムを示す機能ブロック図である。
【図７】図６の制御システム本体の処理動作を説明するためのフローチャートである。
【図８】この発明の実施の形態５によるエレベータの制御システムにおける戸開継続限界時間を算出するときの処理動作を説明するためのフローチャートである。
【図９】この発明の実施の形態６によるエレベータの制御システムにおける戸開継続限界時間を算出するときの処理動作を説明するためのフローチャートである。
【図１０】この発明の実施の形態７によるエレベータの制御システムを示す構成図である。
【図１１】図１０のエレベータの制御システムを示す機能ブロック図である。
【発明を実施するための最良の形態】
【０００９】
以下、この発明の好適な実施の形態について図面を参照して説明する。
実施の形態１．
図１は、この発明の実施の形態１によるエレベータの制御システムを示す構成図である。図において、建物には、複数（この例では、３台）のエレベータ装置１〜３が設けられている。また、建物には、各エレベータ装置１〜３を利用可能な複数の乗場階４が設けられている。各エレベータ装置１〜３は、各乗場階４に停止可能なかご５と、各乗場階４に設けられ、かご５と乗場階４との間の乗降のためのエレベータ出入口６とを有している。【００１０】
各乗場階４には、エレベータホール７が設けられている。エレベータホール７には、各エレベータ装置１〜３のそれぞれのエレベータ出入口６が水平方向へ間隔を置いて設けられている。各エレベータ出入口６には、エレベータ出入口６を開閉するための一対のエレベータドア８が設けられている。【００１１】
各乗場階４には、次回の戸開が予定されているエレベータ出入口６をエレベータホール７に報知するとともに、かご５が到着したことをエレベータホール７に報知するための複数（この例では、３つ）のホールランタン９が設けられている。各ホールランタン９は、各エレベータ出入口６の近傍に１つずつ設けられている。この例では、戸開予定のエレベータ出入口６の報知は、ホールランタン９が点灯することにより行われ、かご５の到着の報知は、ホールランタン９が点滅することにより行われる。【００１２】
また、各乗場階４には、乗場階４で操作可能な乗場呼び登録装置１０が設けられている。この例では、乗場呼び登録装置１０は、エレベータホール７内への出入りのためのホール出入口に設置されている。乗場呼び登録装置１０には、乗客の操作により目的階を選択するための目的階選択器１１と、乗客が選択した目的階の表示を行うための表示器１２とが設けられている。目的階選択器は、健常者が目的階を選択するための一般用選択器と、一般用選択器の下方に配置され、例えば車いす使用者等の身障者が目的階を選択するための身障者用選択器とを有している。一般用選択器及び身障者用選択器には、複数の目的階釦が設けられている。【００１３】
各エレベータ装置１〜３のかご５内には、かご５内で操作可能なかご内呼び登録装置１３が設けられている。かご内呼び登録装置１３には、乗客の操作によりかご５の行き先階を選択するための行き先階選択器と、かご５の現在の位置を表示する表示器とが設けられている（いずれも図示せず）。行き先階選択器には、複数の行き先階釦が設けられている。【００１４】
乗場呼び登録装置１０及び各エレベータ装置１〜３のそれぞれからの情報は、各エレベータ装置１〜３の運転を統括して制御する制御システム本体１４に伝送される。制御システム本体１４は、乗場呼び登録装置１０及び各エレベータ装置１〜３のそれぞれからの情報に基づいて、各エレベータ装置１〜３の運転を制御する。【００１５】
制御システム本体１４は、各エレベータ装置１〜３を一つの群として運転管理する群管理制御装置１５と、群管理制御装置１５からの情報に基づいて、各エレベータ装置１〜３のそれぞれの運転を個別に制御する複数（この例では、３つ）の各台制御装置１６とを有している。【００１６】
図２は、図１のエレベータの制御システムを示す機能ブロック図である。図において、制御システム本体１４は、乗場呼び自動登録部１７、かご内呼び自動登録部１８、応答選定部１９、データベース（記憶部）２０、乗客移動時間算出部２１及び開閉制御部２２を有している。【００１７】
乗場呼び自動登録部１７は、各乗場呼び登録装置１０からの情報に基づいて、乗場呼び登録装置１０が操作された乗場階４をかご呼び階とし、各エレベータ装置１〜３におけるかご５のいずれかをかご呼び階に停止させるためのかご呼び登録を自動で行う。【００１８】
かご内呼び自動登録部１８は、各かご内呼び登録装置１３からの情報に基づいて、かご内呼び登録装置１３の操作により選択された行き先階に当該かご５を停止させるためのかご呼び登録を自動で行う。【００１９】
応答選定部１９は、各エレベータ装置１〜３、乗場呼び自動登録部１７及びかご内呼び自動登録部１８のそれぞれからの情報に基づいて、乗場呼び自動登録部１７で行ったかご呼び登録に応答するエレベータ装置を各エレベータ装置１〜３の中から選定エレベータとして選定する。即ち、応答選定部１９は、各エレベータ装置１〜３について、かご５が到着するまでのかご呼び階における待ち時間を評価値として算出し（評価値演算を行い）、評価値が最も良いエレベータ装置を選定エレベータとして選定する。即ち、応答選定部１９は、各エレベータ装置１〜３についての評価値演算を行うことにより、選定エレベータの選定を行う。選定エレベータの選定は、各エレベータ装置１〜３のかご５の位置や速度、かご５の満員の有無、かご呼び階に到着するまでのかご５の停止数等の情報に基づいて行われる。この例では、群管理制御装置１５によって選定エレベータの選定が行われる。【００２０】
データベース２０には、乗客が乗場呼び登録装置１０から各エレベータ出入口６までの間を移動するためにかかるそれぞれの時間（乗客移動時間）があらかじめ格納されている。【００２１】
乗客移動時間算出部２１は、応答選定部１９及びデータベース２０のそれぞれからの情報に基づいて、選定エレベータのかご呼び階に設けられたエレベータ出入口６を選定出入口とし、乗客が乗場呼び登録装置１０から選定出入口までの間を移動するのにかかる乗客移動時間を算出する。乗客移動時間の算出は、選定出入口に対応する乗客移動時間をデータベース２０から読み出すことにより行われる。【００２２】
開閉制御部２２は、選定エレベータからの運転情報及び乗客移動時間算出部２１からの情報に基づいて、選定出入口の開閉動作を制御する。具体的には、乗場呼び自動登録部１７のかご呼び登録時に選定出入口がすでに戸開状態にされているとき、開閉制御部２２は、かご呼び登録が行われた後、乗客移動時間算出部２１によって算出された乗客移動時間が経過するまで、選定出入口の戸開状態を継続させる。即ち、開閉制御部２２は、乗場呼び自動登録部１７のかご呼び登録時に選定出入口がすでに戸開状態にされているとき、乗場呼び登録装置１０を操作した乗客が選定出入口に到達するまで、選定出入口の戸閉動作の開始を阻止する制御を行う。また、乗客移動時間の経過後に選定出入口の戸開動作が完了したときには、開閉制御部２２は、あらかじめ設定された通常戸開時間だけ戸開状態を維持する通常の開閉動作の制御を選定出入口について行う。選定出入口の開閉動作は、群管理制御装置１５からの開閉指令に基づいて、各台制御装置１６によって制御される。【００２３】
制御システム本体１４は、演算処理部（ＣＰＵ）、記憶部（ＲＯＭ及びＲＡＭ等）及び信号入出力部を持ったコンピュータにより構成されている。乗場呼び自動登録部１７、かご内呼び自動登録部１８、応答選定部１９、データベース２０、乗客移動時間算出部２１及び開閉制御部２２の機能は、制御システム本体１４のコンピュータにより実現される。【００２４】
即ち、コンピュータの記憶部には、乗場呼び自動登録部１７、かご内呼び自動登録部１８、応答選定部１９、乗客移動時間算出部２１及び開閉制御部２２の機能を実現するためのプログラムが格納されている。また、乗客移動時間や通常の戸開時間等の情報も、記憶部に格納される。演算処理部は、記憶部に格納されたプログラムに基づいて、制御システム本体１４の機能に関する演算処理を実行する。【００２５】
次に、処理動作について説明する。図３は、図２の制御システム本体１４の処理動作を説明するためのフローチャートである。図に示すように、乗場呼び登録装置１０が操作されると（Ｓ１）、当該乗場呼び登録装置１０が設置された乗場階４をかご呼び階とするかご呼び登録が乗場呼び自動登録部１７によって行われる（Ｓ２）。【００２６】
この後、各エレベータ装置１〜３の運転情報、乗場呼び自動登録部１７によって登録されたかご呼び階の情報、及びかご内呼び自動登録部１８によって登録された行き先階の情報に基づいて、各エレベータ装置１〜３についての評価値演算が応答選定部１９によって行われる。この結果、乗場呼び自動登録部１７のかご呼び登録に応答するエレベータ装置が各エレベータ装置１〜３の中から選定エレベータとして選定される（Ｓ３）。この後、応答選定部１９からの情報により、選定エレベータの表示が乗場呼び登録装置１０の表示器１２で行われる（Ｓ４）。【００２７】
この後、乗場呼び登録装置１０から選定出入口（選定エレベータのエレベータ出入口６）までの乗客移動時間が乗客移動時間算出部２１によって算出される。乗客移動時間の算出は、各エレベータ出入口６に対応させてデータベース２０にあらかじめ格納されている乗客移動時間の中から、選択出入口に対応する乗客移動時間を読み取ることにより行われる（Ｓ５）。【００２８】
この後、選定エレベータの運転情報に基づいて、選定出入口が戸開状態であるか否かが制御システム本体１４によって判定される（Ｓ６）。選定出入口が戸開状態でないと判定された場合には、選定出入口の通常の開閉動作が開閉制御部２２の制御により行われ処理が終了する（Ｓ７）。【００２９】
また、選定出入口が戸開状態であると判定された場合には、乗場呼び自動登録部１７によるかご呼び登録後の時間が、乗客移動時間算出部２１によって算出された乗客移動時間を経過しているか否かが判定される（Ｓ８）。【００３０】
乗客移動時間の経過前であると判定された場合には、選定出入口の戸開状態は、開閉制御部２２の制御により、乗客移動時間が経過するまで継続される（Ｓ９）。【００３１】
乗客移動時間を経過していると判定された場合には、開閉制御部２２の制御により、通常の戸開時間の経過後、戸閉動作が行われて処理が終了する（Ｓ１０）。【００３２】
このようなエレベータの制御システムでは、乗場呼び自動登録部１７のかご呼び登録時に選定出入口がすでに戸開状態になっているとき、当該かご呼び登録が行われた後、乗客移動時間が経過するまで、選定出入口の戸開状態を継続させるようになっているので、乗客がエレベータ出入口６に到達するまでにエレベータ出入口６が戸閉されることを防止することができ、乗客がかご５に乗り遅れることを防止することができる。また、選定エレベータの選定は、すべてのエレベータ装置１〜３が対象とされるので、選定エレベータの選定を効率良く行うことができ、乗客の待ち時間の短縮化を図ることができる。【００３３】
なお、上記の例では、データベース２０に格納された乗客移動時間が各エレベータ出入口６について１つずつとされているが、各エレベータ出入口６について、一般用及び身障者用のそれぞれの乗客移動時間を別々に格納してもよい。この場合、乗客移動時間算出部２１による乗客移動時間の算出は、かご呼び登録が一般用選択器の操作により行われたときには一般用の乗客移動時間をデータベース２０から読み取り、かご呼び登録が身障者用選択器の操作により行われたときには身障者用の乗客移動時間をデータベース２０から読み取ることにより、行われる。このようにすれば、乗客が身障者であっても、かご５への乗り遅れを防止することができる。【００３４】
実施の形態２．
なお、上記の例では、各エレベータ出入口６に対応する乗客移動時間がかご呼び階の混雑度合いによって異なることはないが、かご呼び階の混雑度合いによって乗客移動時間を異なるようにしてもよい。【００３５】
即ち、データベース２０には、各乗場階４が乗客で混雑する混雑時間帯及び各乗場階４の混雑が治まる閑散時間帯のそれぞれの情報を含む時間帯情報と、混雑時間帯及び閑散時間帯のそれぞれに対応する乗客移動時間の情報を含む乗客移動時間情報とが格納されている。乗客移動時間情報に含まれる乗客移動時間は、エレベータ出入口６に対応させて設定されている。【００３６】
乗客移動時間算出部２１は、乗場呼び自動登録部１７によるかご呼び登録時の情報に基づいて、混雑時間帯及び閑散時間帯のいずれかの乗客移動時間を選択し、選択した乗客移動時間のうち、選定出入口に対応する乗客移動時間を読み取る。このようにして、乗客移動時間算出部２１は、乗客移動時間を算出する。他の構成は実施の形態１と同様である。【００３７】
次に、動作について説明する。実施の形態２での処理動作は、乗客移動時間を算出するときの処理動作を除き、実施の形態１での処理動作と同様であるので、乗客移動時間を算出するときの処理動作のみについて説明する。【００３８】
図４は、この発明の実施の形態２によるエレベータの制御システムにおける乗客移動時間を算出するときの処理動作を説明するためのフローチャートである。図に示すように、乗場呼び自動登録部１７によってかご呼び登録が行われたときの時刻が乗客移動時間算出部２１によって検出された後（Ｓ２１）、時間帯情報が乗客移動時間算出部２１によってデータベース２０から読み取られる（Ｓ２２）。【００３９】
この後、乗場呼び自動登録部１７によって検出された時刻と時間帯情報とが乗客移動時間算出部２１によって比較される。これにより、乗場呼び自動登録部１７によるかご呼び登録の時刻が混雑時間帯にあるか否かが乗客移動時間算出部２１によって判定される（Ｓ２３）。【００４０】
かご呼び登録の時刻が混雑時間帯にあると判定された場合には、混雑時間帯及び選定出入口に対応する乗客移動時間が乗客移動時間算出部２１によってデータベース２０から読み取られる（Ｓ２４）。このようにして、乗客移動時間が算出される。【００４１】
かご呼び登録の時刻が混雑時間帯にないと判定された場合には、閑散時間帯及び選定出入口に対応する乗客移動時間が乗客移動時間算出部２１によってデータベース２０から読み取られる（Ｓ２５）。このようにして、乗客移動時間が算出される。この後の動作は実施の形態１と同様である。【００４２】
このようなエレベータの制御システムでは、混雑時間帯及び閑散時間帯のそれぞれについての乗客移動時間をデータベース２０にあらかじめ設定しておき、乗場呼び自動登録部１７によるかご呼び登録の時刻がいずれの時間帯に属するかを判定することにより、乗客によるかご呼び階の混雑度合いに応じた乗客移動時間を算出するようになっているので、簡易な構成で、かご呼び階における乗客移動時間をより確実に算出することができ、乗客のかご５への乗り遅れの防止をさらに図ることができる。【００４３】
実施の形態３．
また、上記の例では、かご呼び階での混雑度合いが時間帯によって判定されるようになっているが、乗場呼び自動登録部１７によるかご呼び登録の回数によってかご呼び階での混雑度合いを判定するようにしてもよい。【００４４】
即ち、実施の形態３では、乗客移動時間算出部２１は、乗場呼び自動登録部１７による単位時間当たり（例えば、１分当たり）のかご呼び登録の回数を検出し、検出したかご呼び登録の回数に基づいて、かご呼び階の混雑の有無を判定するようになっている。即ち、乗客移動時間算出部２１は、乗場呼び自動登録部１７による単位時間当たりのかご呼び登録の回数があらかじめ設定された基準回数よりも多いときにかご呼び階が混雑していると判定し、基準回数以下であるときにかご呼び階の混雑が治まっていると判定するようになっている。【００４５】
また、データベース２０には、混雑しているときの乗客移動時間と、混雑が治まっているときの乗客移動時間とが各エレベータ出入口６に対応させてあらかじめ格納されている。乗客移動時間算出部２１は、かご呼び階の混雑の有無の判定結果に基づいて、混雑しているとき及び混雑が治まっているときのいずれかの乗客移動時間を選択し、選択した乗客移動時間のうち、選定出入口に対応する乗客移動時間を読み取る。このようにして、乗客移動時間算出部２１は、乗客移動時間を算出する。他の構成は実施の形態１と同様である。【００４６】
次に、動作について説明する。実施の形態３での処理動作は、乗客移動時間を算出するときの処理動作を除き、実施の形態１での処理動作と同様であるので、乗客移動時間を算出するときの処理動作のみについて説明する。【００４７】
図５は、この発明の実施の形態３によるエレベータの制御システムにおける乗客移動時間を算出するときの処理動作を説明するためのフローチャートである。図に示すように、乗客移動時間が算出されるときには、乗場呼び自動登録部１７による単位時間当たりのかご呼び登録の回数が乗客移動時間算出部２１によって検出される（Ｓ３１）。この後、検出されたかご呼び登録の回数が基準回数よりも多いか否かが乗客移動時間算出部２１によって判定される（Ｓ３２）。【００４８】
かご呼び登録の回数が基準回数よりも多い場合には、かご呼び階が混雑しているとされ、混雑しているときの乗客移動時間が乗客移動時間算出部２１によってデータベース２０から読み取られる（Ｓ３３）。【００４９】
かご呼び登録の回数が基準回数以下である場合には、かご呼び階の混雑が治まっているとされ、混雑が治まっているときの乗客移動時間が乗客移動時間算出部２１によってデータベース２０から読み取られる（Ｓ３４）。【００５０】
このようにして、選択出入口に対応する乗客移動時間が算出された後、実施の形態１と同様にして、処理動作が行われる。【００５１】
このように、乗客移動時間算出部２１が乗場呼び自動登録部１７によるかご呼び登録の回数に基づいて、かご呼び階の混雑の有無を判定し、判定結果に基づいて乗客移動時間を算出するようになっているので、団体客がエレベータを利用する場合等のように、乗客数が一時的に増加する場合であっても、簡易な構成で、かご呼び階における乗客移動時間をより確実に算出することができ、乗客のかご５への乗り遅れの防止をさらに図ることができる。【００５２】
実施の形態４．
また、上記の例では、応答選定部１９は、評価値演算による評価値が最も良いエレベータ装置をそのまま選定エレベータとして選定するようになっているが、評価値演算に基づいて、選定エレベータの候補となる候補エレベータを一旦選択し、別個の追加条件に基づいて、候補エレベータを選定エレベータとすることの可否を判定するようになっていてもよい。【００５３】
即ち、図６は、この発明の実施の形態４によるエレベータの制御システムを示す機能ブロック図である。図において、制御システム本体１４は、乗場呼び自動登録部１７、かご内呼び自動登録部１８、応答選定部１９、データベース（記憶部）２０、乗客移動時間算出部２１、開閉制御部２２及び戸開継続限界時間決定部２５を有している。【００５４】
応答選定部１９は、各エレベータ装置１〜３についての評価値演算を行うことにより、選定エレベータの候補となる候補エレベータを一旦選択する。【００５５】
データベース２０には、乗客移動時間と、戸開状態が継続される限界（最長）の時間（戸開継続限界時間）とが各エレベータ出入口６に対応させてあらかじめ格納されている。【００５６】
乗客移動時間算出部２１は、応答選定部１９及びデータベース２０のそれぞれからの情報に基づいて、候補エレベータのかご呼び階に設けられたエレベータ出入口６を候補出入口とし、乗客が乗場呼び登録装置１０から候補出入口までの間を移動するのにかかる乗客移動時間を算出する。乗客移動時間の算出は、候補出入口に対応する乗客移動時間をデータベース２０から読み出すことにより行われる。【００５７】
戸開継続限界時間決定部２５は、応答選定部１９及びデータベース２０のそれぞれからの情報に基づいて、候補エレベータのかご呼び階に設けられたエレベータ出入口６を候補出入口とし、候補出入口についての戸開継続限界時間を算出する。戸開継続限界時間の算出は、候補出入口に対応する戸開継続限界時間をデータベース２０から読み出すことにより行われる。【００５８】
各エレベータ出入口６の開閉動作時には、制御システム本体１４により、各エレベータ出入口６について、戸開状態になってからの時間がカウントされる。応答選定部１９は、制御システム本体１４によってカウントされる時間に基づいて、候補出入口が戸開状態になってから、乗場呼び自動登録部１７によるかご呼び登録が行われるまでの時間を戸開継続経過時間として求め、求めた戸開継続経過時間に、乗客移動時間算出部２１によって算出された乗客移動時間を加算することにより戸開継続予定時間を求める。なお、戸開継続予定時間は、候補出入口の戸開状態が継続される予定の時間である。【００５９】
また、応答選定部１９は、乗客移動時間算出部２１からの情報に基づいて算出した戸開継続予定時間と、戸開継続限界時間決定部２５からの情報に基づいて取得した戸開継続限界時間とを比較することにより、候補エレベータを選定エレベータとすることの可否を判定する。即ち、応答選定部１９は、候補出入口について、戸開継続予定時間が戸開継続限界時間よりも長いときに候補エレベータを選定エレベータの候補から除外し、戸開継続予定時間が戸開継続限界時間以内であるときに候補エレベータを選定エレベータとして選定する。また、応答選定部１９は、候補エレベータを選定エレベータの候補から除外したときには、除外した候補エレベータと異なる別のエレベータ装置の中から新たな候補エレベータを選択する。他の構成は実施の形態１と同様である。【００６０】
次に、制御システム本体１４の処理動作について説明する。図７は、図６の制御システム本体１４の処理動作を説明するためのフローチャートである。図に示すように、図に示すように、乗場呼び登録装置１０が操作されると（Ｓ１）、当該乗場呼び登録装置１０が設置された乗場階４をかご呼び階とするかご呼び登録が乗場呼び自動登録部１７によって行われる（Ｓ２）。【００６１】
この後、各エレベータ装置１〜３の運転情報、乗場呼び自動登録部１７によって登録されたかご呼び階の情報、及びかご内呼び自動登録部１８によって登録された行き先階の情報に基づいて、各エレベータ装置１〜３についての評価値演算が応答選定部１９によって行われる。これにより、選定エレベータの候補となる候補エレベータが各エレベータ装置の中から選択される（Ｓ４１）。【００６２】
この後、乗場呼び登録装置１０から候補出入口までの乗客移動時間ｔ１が乗客移動時間算出部２１によって算出される（Ｓ５）。この後、候補出入口がすでに戸開状態になっているか否かが制御システム本体１４により判定される（Ｓ６）。候補出入口が戸開状態となっていないと判定された場合には、候補出入口の通常の開閉動作が開閉制御部２２の制御により行われ処理が終了する（Ｓ７）。【００６３】
また、候補出入口がすでに戸開状態になっていると判定された場合には、候補出入口についての戸開継続経過時間ｔ２が応答選定部１９により算出される（Ｓ４２）。この後、候補出入口についての戸開継続限界時間Ｔが戸開継続限界時間決定部２５により算出される（Ｓ４３）。【００６４】
この後、候補出入口について、戸開継続経過時間ｔ２に乗客移動時間ｔ１を加算した戸開継続予定時間（ｔ１＋ｔ２）が戸開継続限界時間Ｔよりも長いか否かが応答選定部１９により判定される（Ｓ４４）。【００６５】
戸開継続予定時間（ｔ１＋ｔ２）が戸開継続限界時間Ｔよりも長いと判定された場合には、応答選定部１９により、当該候補エレベータが選定エレベータの候補から除外される（Ｓ４５）。この後、除外した候補エレベータと異なる新たな候補エレベータを選択し（Ｓ４１）、上記と同様の処理を行う。【００６６】
戸開継続予定時間（ｔ１＋ｔ２）が戸開継続限界時間Ｔ以内であると判定された場合には、応答選定部１９により、当該候補エレベータが選定エレベータとして選定される（Ｓ３）。この後、応答選定部１９からの情報により、選定エレベータの表示が乗場呼び登録装置１０の表示器１２で行われる（Ｓ４）。この後、乗場呼び自動登録部１７によるかご呼び登録後の時間が、乗客移動時間算出部２１によって算出された乗客移動時間ｔ１を経過しているか否かが判定される（Ｓ８）。この後の処理動作は、実施の形態１と同様である。【００６７】
このようなエレベータの制御システムでは、選定エレベータの候補となる候補エレベータが一旦選択され、乗場呼び自動登録部１７によるかご呼び登録時に候補出入口がすでに戸開状態にされている場合に、候補出入口について、戸開継続予定時間と戸開継続限界時間とが比較され、これにより候補エレベータを選定エレベータとすることの可否が判定されるようになっているので、エレベータ出入口６の戸開状態の継続時間が極端に長くなることを防止することができ、エレベータの運行効率の低下の防止を図ることができる。【００６８】
実施の形態５．
また、上記の例では、各エレベータ出入口６に対応する戸開継続限界時間Ｔがかご呼び階の混雑度合いによって異なることはないが、かご呼び階の混雑度合いによって戸開継続限界時間を異なるようにしてもよい。【００６９】
即ち、データベース２０には、各乗場階４が乗客で混雑する混雑時間帯及び各乗場階４の混雑が治まる閑散時間帯のそれぞれの情報を含む時間帯情報と、混雑時間帯及び閑散時間帯のそれぞれに対応する戸開継続限界時間の情報を含む限界時間情報とが格納されている。限界時間情報に含まれる戸開継続限界時間は、エレベータ出入口６に対応させて設定されている。【００７０】
戸開継続限界時間決定部２５は、乗場呼び自動登録部１７によるかご呼び登録時の情報に基づいて、混雑時間帯及び閑散時間帯のいずれかの乗客移動時間を選択し、選択した乗客移動時間のうち、候補出入口に対応する戸開継続限界時間を読み取る。このようにして、戸開継続限界時間決定部２５は、戸開継続限界時間を算出する。他の構成は実施の形態４と同様である。【００７１】
次に、動作について説明する。実施の形態５での処理動作は、戸開継続限界時間を算出するときの処理動作を除き、実施の形態４での処理動作と同様であるので、戸開継続限界時間を算出するときの処理動作のみについて説明する。【００７２】
図８は、この発明の実施の形態５によるエレベータの制御システムにおける戸開継続限界時間を算出するときの処理動作を説明するためのフローチャートである。図に示すように、乗場呼び自動登録部１７によってかご呼び登録が行われたときの時刻が戸開継続限界時間決定部２５によって検出された後（Ｓ５１）、時間帯情報が戸開継続限界時間決定部２５によってデータベース２０から読み取られる（Ｓ５２）。【００７３】
この後、乗場呼び自動登録部１７によって検出された時刻と時間帯情報とが戸開継続限界時間決定部２５によって比較される。これにより、乗場呼び自動登録部１７によるかご呼び登録の時刻が混雑時間帯にあるか否かが戸開継続限界時間決定部２５によって判定される（Ｓ５３）。【００７４】
かご呼び登録の時刻が混雑時間帯にあると判定された場合には、混雑時間帯及び候補出入口に対応する戸開継続限界時間が戸開継続限界時間決定部２５によってデータベース２０から読み取られる（Ｓ５４）。このようにして、戸開継続限界時間が算出される。【００７５】
かご呼び登録の時刻が混雑時間帯にないと判定された場合には、閑散時間帯及び候補出入口に対応する戸開継続限界時間が戸開継続限界時間決定部２５によってデータベース２０から読み取られる（Ｓ５５）。このようにして、戸開継続限界時間が算出される。この後の動作は実施の形態４と同様である。【００７６】
このようなエレベータの制御システムでは、混雑時間帯及び閑散時間帯のそれぞれについての戸開継続限界時間をデータベース２０にあらかじめ設定しておき、乗場呼び自動登録部１７によるかご呼び登録の時刻がいずれの時間帯に属するかを判定することにより、乗客によるかご呼び階の混雑度合いに応じた戸開継続限界時間を算出するようになっているので、簡易な構成で、候補出入口についての戸開継続限界時間をより確実に算出することができ、乗客のかご５への乗り遅れの防止をさらに図ることができる。【００７７】
実施の形態６．
また、実施の形態５では、かご呼び階での混雑度合いが時間帯によって判定されるようになっているが、乗場呼び自動登録部１７によるかご呼び登録の回数によってかご呼び階での混雑度合いを判定するようにしてもよい。【００７８】
即ち、実施の形態６では、戸開継続限界時間決定部２５は、乗場呼び自動登録部１７による単位時間当たり（例えば、１分当たり）のかご呼び登録の回数を検出し、検出したかご呼び登録の回数に基づいて、かご呼び階の混雑の有無を判定するようになっている。即ち、戸開継続限界時間決定部２５は、乗場呼び自動登録部１７による単位時間当たりのかご呼び登録の回数があらかじめ設定された基準回数よりも多いときにかご呼び階が混雑していると判定し、基準回数以下であるときにかご呼び階の混雑が治まっていると判定するようになっている。【００７９】
また、データベース２０には、混雑しているときの戸開継続限界時間と、混雑が治まっているときの戸開継続限界時間とが各エレベータ出入口６に対応させてあらかじめ格納されている。戸開継続限界時間決定部２５は、かご呼び階の混雑の有無の判定結果に基づいて、混雑しているとき及び混雑が治まっているときのいずれかの戸開継続限界時間を選択し、選択した戸開継続限界時間のうち、候補出入口に対応する戸開継続限界時間を読み取る。このようにして、戸開継続限界時間決定部２５は、戸開継続限界時間を算出する。他の構成は実施の形態４と同様である。【００８０】
次に、動作について説明する。実施の形態６での処理動作は、乗客移動時間を算出するときの処理動作を除き、実施の形態４での処理動作と同様であるので、乗客移動時間を算出するときの処理動作のみについて説明する。【００８１】
図９は、この発明の実施の形態６によるエレベータの制御システムにおける戸開継続限界時間を算出するときの処理動作を説明するためのフローチャートである。図に示すように、戸開継続限界時間が算出されるときには、乗場呼び自動登録部１７による単位時間当たりのかご呼び登録の回数が戸開継続限界時間決定部２５によって検出される（Ｓ６１）。この後、検出されたかご呼び登録の回数が基準回数よりも多いか否かが戸開継続限界時間決定部２５によって判定される（Ｓ６２）。【００８２】
かご呼び登録の回数が基準回数よりも多い場合には、かご呼び階が混雑しているとされ、混雑しているときの戸開継続限界時間が戸開継続限界時間決定部２５によってデータベース２０から読み取られる（Ｓ６３）。【００８３】
かご呼び登録の回数が基準回数以下である場合には、かご呼び階の混雑が治まっているとされ、混雑が治まっているときの戸開継続限界時間が戸開継続限界時間決定部２５によってデータベース２０から読み取られる（Ｓ６４）。【００８４】
このようにして、候補出入口に対応する戸開継続限界時間が算出された後、実施の形態２と同様にして、処理動作が行われる。【００８５】
このように、戸開継続限界時間決定部２５が乗場呼び自動登録部１７によるかご呼び登録の回数に基づいて、かご呼び階の混雑の有無を判定し、判定結果に基づいて戸開継続限界時間を算出するようになっているので、団体客がエレベータを利用する場合等のように、乗客数が一時的に増加する場合であっても、簡易な構成で、候補出入口についての戸開継続限界時間をより確実に算出することができ、乗客のかご５への乗り遅れの防止をさらに図ることができる。【００８６】
なお、上記の例では、戸開継続限界時間決定部２５は、乗客移動時間とは別個の戸開継続限界時間の情報をデータベース２０から読み取ることにより、戸開継続限界時間を算出するようになっているが、乗客移動時間のみをデータベース２０に格納し、戸開継続限界時間決定部２５は、データベース２０から読み取った乗客移動時間の情報に基づいて、戸開継続限界時間を算出するようになっていてもよい。即ち、戸開継続限界時間が乗客移動時間の関数として求められるようになっていてもよい。この場合、戸開継続限界時間は、乗客移動時間に応じて変化することとなる。【００８７】
実施の形態７．
図１０は、この発明の実施の形態７によるエレベータの制御システムを示す構成図である。また、図１１は、図１０のエレベータの制御システムを示す機能ブロック図である。図において、各乗場階４には、例えば接触型磁気カードや非接触型ＩＣカード、非接触タグ機器等に記憶された乗客の個人情報を取得可能で、取得した個人情報に基づいて、個人認証を行うための認証装置３１が乗場呼び登録装置として設置されている。【００８８】
エレベータホール７のホール出入口には、個人情報が認証装置３１によって認証されたときにのみエレベータホール７内への入室を許可するセキュリティゲートが設けられている。なお、ホール出入口には、通常施錠されており認証装置３１による認証によって一時的に解錠されるドアを設けてもよい。また、認証装置３１による認証時のみにホール出入口を自動で開放するドアをホール出入口に設けてもよい。【００８９】
制御システム本体１４は、認証装置３１によって取得された個人情報を解析する認証情報読み取り装置３２をさらに有している。個人情報には、例えば各エレベータ出入口６に対応する乗客移動時間や目的階、かご呼び階等の詳細情報が含まれている。認証情報読み取り装置３２は、個人情報の解析により、上記の詳細情報を検出する。【００９０】
認証情報読み取り装置３２からの情報は、乗場呼び自動登録部１７に伝送される。乗場呼び自動登録部１７は、認証装置３１によって乗客を認証したときにのみ、かご呼び登録を行う。【００９１】
また、乗客移動時間算出部２１は、認証情報読み取り装置３２からの情報に基づいて、認証装置３１によって認証された個人情報に応じた乗客移動時間を算出する。即ち、乗客移動時間算出部２１は、認証情報読み取り装置３２によって解析された詳細情報の中から乗客移動時間の情報を読み取ることにより、個人情報に応じた乗客移動時間を算出する。他の構成は実施の形態１と同様である。【００９２】
このようなエレベータの制御システムでは、乗場呼び自動登録部１７によるかご呼び登録が認証装置３１によって乗客が認証されたときにのみ行われるようになっているので、部外者によるかご呼び登録を防止することができ、セキュリティ効果を向上させることができる。【００９３】
また、乗客移動時間算出部２１は、認証装置３１によって認証された個人情報に応じた乗客移動時間を算出するようになっているので、乗客移動時間を乗客ごとにきめ細かく設定することができ、乗客のかご５への乗り遅れの防止をさらに確実に図ることができる。【００９４】
なお、上記の例では、個人情報の中に乗客移動時間の情報が含まれているが、例えば性別や年齢等の情報を個人情報に含ませ、性別や年齢等に対応する乗客移動時間の情報をデータベース２０にそれぞれ格納してもよい。この場合、認証装置３１によって認証された個人情報に対応する乗客移動時間が乗客移動時間算出部２１によってデータベース２０から読み取られる。【００９５】
また、上記実施の形態１〜３及び７では、複数台のエレベータ装置１〜３をまとめて制御するエレベータの制御システムにこの発明が適用されているが、単独のエレベータ装置を制御するエレベータの制御システムにこの発明を適用してもよい。この場合、制御システム本体１４は、群管理制御装置１５を有していない。また、制御システム本体１４では、選定エレベータの選定を行う必要がないので、乗場呼び自動登録部１７からの情報が乗客移動時間算出部２１に直接入力される。【００９６】
このように単独のエレベータ装置を制御するエレベータの制御システムにおいて、乗場呼び自動登録部１７によるかご呼び登録時にエレベータ出入口（選定出入口）６がすでに戸開状態にされているとき、かご呼び登録後、乗客移動時間が経過するまで、エレベータ出入口６の戸開状態を継続させるようにしたので、乗客がエレベータ出入口６に到達するまでにエレベータ出入口６が戸閉されることを防止することができ、乗客がかご５に乗り遅れることを防止することができる。【００９７】
また、上記実施の形態２あるいは３の構成を実施の形態４の構成に適用してもよい。
【図１】
2007096947.tif 000003
【図２】
2007096947.tif 000004
【図３】
2007096947.tif 000005
【図４】
2007096947.tif 000006
【図５】
2007096947.tif 000007
【図６】
2007096947.tif 000008
【図７】
2007096947.tif 000009
【図８】
2007096947.tif 000010
【図９】
2007096947.tif 000011
【図１０】
2007096947.tif 000012
【図１１】
2007096947.tif 000013
【国際調査報告】
2007096947.tif 000014
2007096947.tif 000015
2007096947.tif 000016
2007096947.tif 000017